(57)【特許請求の範囲】
【請求項１】
躯体をなす縦材に取り付けられた壁材同士で形成された隅部、または前記縦材と前記壁材とで形成された隅部を有する建築物の耐震改修壁構造であって、
前記縦材と、
前記壁材と、
該壁材の室内側の面に沿って設けられた補強シートと、
前記隅部における前記補強シートの前記室内側に配置された固定用部材と、
該固定用部材から前記壁材に対して斜めに延び、前記固定用部材及び前記補強シートを貫通して、前記縦材に固定される固定具と、を備えることを特徴とする建築物の耐震改修壁構造。
【請求項２】
前記固定用部材は、前記隅部を形成する一の面に沿って配置される第一面と、前記隅部を形成する他の面に沿って配置される第二面と、を有し、
前記一の面に沿って配置された前記補強シートの端部は、前記第一面と前記第二面との角部で折り曲げられ、前記第二面にまで延び、
前記固定具は、前記角部を通過して前記縦材に固定されている請求項１に記載の建築物の耐震改修壁構造。
【請求項３】
前記固定用部材には、前記壁材に対して傾斜する方向を向く固定面が形成され、
前記固定具は、該固定面から前記縦材に向かって固定されている請求項１または２に記載の建築物の耐震改修壁構造。
【請求項４】
前記隅部は、前記一の面を有する第一壁材及び前記他の面を有する第二壁材で形成され、
前記補強シートは、前記第一壁材の前記一の面に沿って設けられた第一補強シートと、前記第二壁材の前記他の面に沿って設けられた第二補強シートと、を有し、
前記第一補強シートの端部は、前記角部で折り曲げられ、前記他の面に沿って配置される前記固定用部材の第二面にまで延び、
前記第二補強シートの端部は、前記角部で折り曲げられ、前記一の面に沿って配置される前記固定用部材の第一面にまで延び、
前記固定具は、前記固定用部材、前記第一補強シート及び前記第二補強シートを貫通して、前記縦材に固定されている請求項２に記載の建築物の耐震改修壁構造。
【請求項５】
躯体をなす縦材に取り付けられた壁材同士で形成された隅部、または前記縦材と前記壁材とで形成された隅部を有する建築物の耐震改修壁の施工方法であって、
前記壁材の室内側の面に沿って、少なくとも前記隅部に延びる補強シートを配置し、
前記隅部における前記補強シートの室内側に固定用部材を配置し、
固定具を、前記固定用部材から前記壁材に対して斜めに挿入させ、前記固定用部材及び前記補強シートを貫通させ、前記縦材に固定することを特徴とする建築物の耐震改修壁の施工方法。
【発明の詳細な説明】
【技術分野】
【０００１】
本発明は、耐震性能を改善するようにした建築物の耐震改修壁構造及び建築物の耐震改修壁の施工方法に関するものである。
【背景技術】
【０００２】
建築物において、耐震性能が建物の重要な要素として広く認められており、新築の建築物では施工時の耐震基準を満たすように建築されている。また、旧制度の基準に基づいて建築された既存の建物等については、現行の基準を満たすように耐震性能を改善する改修工事が行われる。この際には、既存の内装材や外装材等を一部除去しなければならないため、コストと手間がかかっていた。
【０００３】
これに対して、建築物の柱の室内側に石膏ボード等の内装材を配置した既存の建築物において、耐震補強用のアラミド繊維シート等を含む補強シートを、締結ネジで内装材を通して柱にねじ込む耐震改修壁が提案されている（下記特許文献１参照）。柱は内装材の板厚方向の真裏に配置されているため、締結ネジを内装材の面方向に対して直交する向きにねじ込むことで、補強シートを内装材を介して柱に固定することができる。この技術によれば、既存の壁等をほとんど除去しないで耐震改修が可能であるため、改修施工が容易であり、短時間で済み、施工に伴うごみや廃棄物等の発生が少なくて低コストであるという利点がある。
【先行技術文献】
【特許文献】
【０００４】
【特許文献１】特開２０１３−１３９６９８号公報
【発明の概要】
【発明が解決しようとする課題】
【０００５】
一方、建築物の入隅部等においては、補強シートを固定する締結ネジを螺合させる柱が、内装材の板厚方向の真裏等ネジ止め可能な箇所に配置されていないため、補強シートを柱に固定することができないという問題点がある。
【０００６】
そこで、本発明は、上記事情に鑑みてなされたものであり、隅部であっても補強シートの取り付けが可能な建築物の耐震改修壁構造及び建築物の耐震改修壁の施工方法を提供する。
【課題を解決するための手段】
【０００７】
上記目的を達成するために、本発明は以下の手段を採用している。
すなわち、本発明に係る建築物の耐震改修壁構造は、躯体をなす縦材に取り付けられた壁材同士で形成された隅部、または前記縦材と前記壁材とで形成された隅部を有する建築物の耐震改修壁構造であって、前記縦材と、前記壁材と、該壁材の室内側の面に沿って設けられた補強シートと、前記隅部における前記補強シートの前記室内側に配置された固定用部材と、該固定用部材から前記壁材に対して斜めに延び、前記固定用部材及び前記補強シートを貫通して、前記縦材に固定される固定具と、を備えることを特徴とする。
【０００８】
このように構成された建築物の耐震改修壁構造では、隅部において、壁材の室内側の面に沿って設けられた補強シートは、その室内側に配置された固定用部材から延びる固定具により固定される。この固定具は、壁材に対して斜めに延び、固定用部材及び補強シートを貫通して縦材に固定される。よって、例えば、壁材に直交する方向の室外側に縦材が配置されていないような場合でも、壁材に対して斜めに延びる固定具により、補強シートを縦材に固定することができる。したがって、隅部であっても、縦材に補強シートを固定することができる。
【０００９】
また、本発明に係る建築物の耐震改修壁構造では、前記固定用部材は、前記隅部を形成する一の面に沿って配置される第一面と、前記隅部を形成する他の面に沿って配置される第二面と、を有し、前記一の面に沿って配置された前記補強シートの端部は、前記第一面と前記第二面との角部で折り曲げられ、前記第二面にまで延び、前記固定具は、前記角部を通過して前記縦材に固定されている。
【００１０】
このように構成された建築物の耐震改修壁構造では、補強シートは、隅部を形成する一の面に沿って配置される。補強シートの端部は、一の面と一の面に沿う固定用部材の第一面との間に配置され、角部で折り曲げられて、第二面にまで延びている。これにより、固定用部材の角部を通過する固定具は、角部に沿う補強シートの折り曲げられた部分を貫通して、縦材に固定される。よって、角部で折り曲げられた補強シートが隅部からずれることがないため、固定具は補強シートを確実に貫通して縦材に固定される。
【００１１】
また、本発明に係る建築物の耐震改修壁構造は、前記固定用部材には、前記壁材に対して傾斜する方向を向く固定面が形成され、前記固定具は、該固定面から前記縦材に向かって固定されている。
【００１２】
このように構成された建築物の耐震改修壁構造では、固定具は、壁材に対して傾斜する方向を向く固定面に固定される。よって、壁材に対して斜めに延びる固定具を、縦材に固定しやすい。
【００１３】
また、本発明に係る建築物の耐震改修壁構造では、前記隅部は、前記一の面を有する第一壁材及び前記他の面を有する第二壁材で形成され、前記補強シートは、前記第一壁材の前記一の面に沿って設けられた第一補強シートと、前記第二壁材の前記他の面に沿って設けられた第二補強シートと、を有し、前記第一補強シートの端部は、前記角部で折り曲げられ、前記他の面に沿って配置される前記固定用部材の第二面にまで延び、前記第二補強シートの端部は、前記角部で折り曲げられ、前記一の面に沿って配置される前記固定用部材の第一面にまで延び、前記固定具は、前記固定用部材、前記第一補強シート及び前記第二補強シートを貫通して、前記縦材に固定されている。
【００１４】
このように構成された建築物の耐震改修壁構造では、第一壁材の一の面に沿って配置された第一補強シートの端部は、第一壁材と固定用部材の第一面との間に配置され、角部で折り曲げられて、第二面にまで延びている。また、第二壁材の他の面に沿って配置された第二補強シートの端部は、第二壁材と固定用部材の第二面との間に配置され、角部で折り曲げられて、第一面にまで延びている。第一補強シート及び第二補強シートは、固定用部材の角部を貫通する固定具により縦材に固定される。よって、一の固定具で第一補強シート及び第二補強シートの両方を一度に固定することができるため、施工性がよい。
【００１５】
また、本発明に係る建築物の耐震改修壁の施工方法は、躯体をなす縦材に取り付けられた壁材同士で形成された隅部、または前記縦材と前記壁材とで形成された隅部を有する建築物の耐震改修壁の施工方法であって、前記壁材の室内側の面に沿って、少なくとも前記隅部に延びる補強シートを配置し、前記隅部における前記補強シートの室内側に固定用部材を配置し、固定具を、前記固定用部材から前記壁材に対して斜めに挿入させ、前記固定用部材及び前記補強シートを貫通させ、前記縦材に固定することを特徴とする。
【００１６】
このように構成された建築物の耐震改修壁の施工方法では、隅部において、補強シートを、壁材の室内側の面に沿って設ける。固定具を、固定用部材から壁材に対して斜めに挿入させ、固定用部材及び補強シートを貫通させ、縦材に固定する。これにより、補強シートは、壁材に固定される。よって、例えば、壁材に直交する方向の室外側に縦材が配置されていないような場合でも、壁材に対して斜めに延びる固定具により、補強シートを縦材に固定することができる。したがって、隅部であっても、壁材に対して斜めに延びる補強シートを取り付けることができる。
【発明の効果】
【００１７】
本発明に係る建築物の耐震改修壁構造及び建築物の耐震改修壁の施工方法によれば、隅部であっても補強シートを取り付けることができる。
【図面の簡単な説明】
【００１８】
【図１】本発明の第一実施形態に係る建築物の耐震改修壁構造を示す斜視図である。
【図２】本発明の第一実施形態に係る建築物の耐震改修構造の水平断面図である。
【図３】図２のＡ部拡大図である。
【図４】図２のＢ部拡大図である。
【図５】本発明の第二実施形態に係る建築物の耐震改修壁構造の水平断面図である。
【図６】本発明の第三実施形態に係る建築物の耐震改修壁構造の水平断面図である。
【図７】本発明の第四実施形態に係る建築物の耐震改修壁構造の水平断面図である。
【図８】本発明に係る建築物の耐震改修壁構造の適用例を示す斜視図である。
【発明を実施するための形態】
【００１９】
（第一実施形態）
以下、建築物の耐震改修壁構造の一例として、建築物の耐震改修壁について説明する。
図１は、本発明の第一実施形態に係る建築物の耐震改修壁構造を示す斜視図である。図２は、本発明の第一実施形態に係る建築物の耐震改修構造の水平断面図である。図３は、図２のＡ部拡大図である。図４は、図２のＢ部拡大図である。
【００２０】
図１、図２に示すように、改修前の建築物は、躯体をなす柱（縦材）３及び間柱（縦材）４と、これら柱３及び間柱４等に取り付けられる内装材（以下、「既存内装材」と称する。）（壁材）１１及び外壁３０と、を備えている。柱３の側方には、既存内装材１１等を支持する受け材５が設けられている。本実施形態の建築物は、既存内装材１１が柱３よりも室内側に位置しているいわゆる大壁仕様の建築物である。
既存内装材１１，１１同士が直交して交わった隅部Ｘを含む構成について説明する。
【００２１】
上記建築物に対して一方の既存内装材１１（図２に示す紙面下側に配置され、紙面上下方向に延びる既存内装材１１）の耐震性能を改善するために行われた改修が行われると、耐震改修壁１は、既存内装材１１の室内側に補強シート１２及び新規内装材１８が設けられた構成とされている。なお、耐震性能の改修を行わない既存内装材１１側には、補強シート１２は設けられず、新規内装材１８のみが設けられている。これにより、隅部Ｘの両側において、同様の内装仕上げとすることができる。
【００２２】
補強シート１２は、例えばアラミド繊維シート等で構成され、板状またはシート状の部材である。後述するように、補強シート１２は既存の内装材を介して柱３及び間柱４に固定することで建物の強度を向上させ、耐震強度を高めている。補強シート１２は耐震強度を高めることができればその材質を限定されることはないが、その特性として例えば引っ張り強度２ＧＰａ以上、弾性率５０ＧＰａ以上の少なくとも一方を満たす板状またはシート状の部材であることが好ましい。
【００２３】
補強シート１２はより具体的には繊維シートを含むものが好ましい。その中でも高強度繊維（「高強度・高弾性率繊維」と呼ばれることもある。）シートであることがさらに好ましい。これによれば軽量で高い強度を得ることができる。
また、補強シート１２は、繊維シートや高強度繊維シートを接着剤や樹脂等の各種の樹脂を含む材料に埋めて固めることにより、全体として平板状やシート状に形成したものが好ましい。これにより、既存内装材１１に補強シート１２を取り付ける際に繊維シートのしわやよじれ等の発生を防止することができ、均一性の高い施工を行うことができる。
従って、施工の作業性も高まるので工期の短縮もできる。
【００２４】
補強シート１２に用いられる高強度繊維シートは特に限定されないが、例えばガラス繊維シート、炭素繊維シート、アラミド繊維シート、繊維の単糸を配列してプリプレグして作製したシート、マルチフィラメントのストランドを織る等して作製した繊維シート、ポリプロピレン繊維シート、ポリエステル繊維シート、ターポリン、樹脂含浸炭素繊維シート、樹脂含浸アラミド繊維シート、樹脂含浸ガラス繊維シート、超高分子量ポリエチレン繊維シート、ポリアリレート繊維シート、ポリケトン繊維シート、及びポリパラフェニレンベンズビスオキサゾール繊維シート等を挙げることができる。
【００２５】
また、繊維シートや高強度繊維シートを埋めて板状とする材料としては、繊維シートや高強度繊維シートを樹脂等に含浸等させて固めることにより板状を形成することができればよく特に限定されることはない。含浸や埋め込みの材料として例えばポリエステル樹脂、エポキシ樹脂、エポキシ樹脂系接着剤、アクリル樹脂系接着剤、ポリアミド樹脂系接着剤等の樹脂を含む材料を挙げることができる。
このような補強シート１２を製造する方法は特に限定されるものではないが、繊維シートや高強度繊維によるシートに流動性を有する上述した樹脂を含有する組成物を含浸させ、その組成物を硬化させることで製造できる。
【００２６】
隅部Ｘ以外の箇所では、補強シート１２の室内側に、スペーサとして合板１４が、例えば接着剤やタッカー等により固定されている。合板１４は例えば柱３や間柱４と同等以上の幅を有する板材であることが好ましい。また、合板１４には、上下方向に所定間隔（例えば２００ｍｍ間隔）で孔１４ａが形成されている。補強シート１２は、合板１４の孔１４ａ内に設けられた座金１６を介して、固定ビス１５で固定されている。
【００２７】
この場合、固定ビス１５は補強シート１２と既存内装材１１を介して柱３または間柱４にねじ込んで固定するものとする。合板１４に形成された孔１４ａは座金１６の外径より若干大きな内径寸法を有する円筒形状とする。しかも、合板１４の孔１４ａの深さは座金１６の厚さ及び固定ビス１５の頭部の高さと同等以上に設定するものとし、ねじ込んだ固定ビス１５の頭部が合板１４の表面より高くないことが好ましい。
【００２８】
そして、合板１４の室内側には新規の石膏ボード等からなる平板状の新規内装材１８を取り付け、この新規内装材１８を上述した合板１４に固定した固定ビス１５の上下間の領域で固定ねじとして例えば皿ネジ（不図示。以下同じ。）をねじ込んで固定する。この場合、皿ネジは合板１４を貫通して柱３または間柱４に到達して固定されているものとし、しかも皿ネジの頭部が新規内装材１８内にねじ込まれていることが好ましい。
【００２９】
また、新規内装材１８の板厚方向の真裏に柱３及び間柱４が無い箇所、例えば隅部Ｘ周辺における新規内装材１８の幅方向端部においては、補強シート１２と新規内装材１８との間に合板１７Ａが設けられ、新規内装材１８側からアンカー１７Ｂがねじ込まれている。合板１７Ａには、孔１４ａが設けられていない。合板１７Ａの厚みは、合板１４と略同一とされていることが好ましい。これにより、新規内装材１８の幅方向にわたって合板１４または合板１７Ａが配置されているため、柱３及び間柱４からの新規内装材１８の出寸法を同一とすることができる。
また、新規内装材１８の表面には、壁紙（不図示。以下同じ。）等が接着剤等で固着されていることが好ましいが、壁紙はなくてもよい。
【００３０】
図４に示すように、補強シート１２の幅方向端部１２ｚでは、隣接する補強シート１２，１２の端部１２ｚ，１２ｚ同士が重ねられている。補強シート１２，１２の重なっている部分には、上記と同様に、合板１４が、固定ビス１５によって固定されている。この際、補強シート１２，１２の重なっている部分は、例えば柱３や間柱４と同等以上の幅とすることが好ましい。
【００３１】
図１、図３に示すように隅部Ｘでは、補強シート１２の室内側に、固定用部材としてＬＶＬ（Laminated Veneer Lumber、単層積層材）２０が、例えば固定具としての固定ネジ２１によって固定されている。本実施形態では、固定ネジとして、コーススレッドＬ９０が用いられている。
【００３２】
ＬＶＬ２０は、断面視において、略矩形状に形成されるとともに、室内側に配置される角部分には面取りされた面取り部（固定面）２０ａが形成されている。例えば、面取り部２０ａは、直交する既存内装材１１，１１それぞれに対して４５度の傾きをなすように平面状に形成されている。ＬＶＬは、例えば断面が略１８ｍｍ×１８ｍｍで形成された長尺の部材とされている。また、固定用部材としては、ＬＶＬの他に、無垢等の木材、合板、樹脂、金属等が採用される。
【００３３】
また、ＬＶＬ２０は、直交する面（第一面）２０ｐと面（第二面）２０ｑとの角部２０ｒが隅部Ｘに揃うように配置されている。面２０ｐは、一方の既存内装材１１の内面（一の面）１１ａに沿って配置されている。面２０ｑは、他方の既存内装材１１の内面（一の面）１１ｂに沿って配置されている。
【００３４】
補強シート１２の端部１２ｚ側は、隅部Ｘに沿って折り曲げられている。これにより、補強シート１２は、既存内装材１１の内面１１ａに沿って配置され、端部１２ｚ側に向かうにしたがって順に、内面１１ａとＬＶＬ２０の面２０ｐとで挟まれて、角部２０ｒ及び隅部Ｘに沿って折り曲げられ、内面１１ｂとＬＶＬ２０の面２０ｑとで挟まれている。
【００３５】
固定ネジ２１は、ＬＶＬ２０の面取り部２０ａから挿入され、直交する既存内装材１１，１１それぞれに対して４５度の傾きをなすように延びている。この固定ネジ２１は、ＬＶＬ２０の角部２０ｒ、補強シート１２の折り曲げられている部分１２ｒを通過し、一方の既存内装材１１の端部を通過し、柱３の角部３ｒから柱３にねじ込まれている。
【００３６】
次に、上記に示す建築物の耐震改修壁の施工方法について説明する。
既存の建物物には、図１に示すように躯体をなす柱３及び間柱４の室内側には、既存内装材１１が釘打ちやビス止め等や接着剤等で設置されている。この状態から、既存内装材１１の表面に板状の補強シート１２を固定する。既存内装材１１と補強シート１２との間に接着剤を塗布して貼り付けてもよいし、両面テープ等で貼り付けてもよい。
【００３７】
そして、隅部Ｘ以外の箇所では、補強シート１２の室内側に、合板１４を接着剤やタッカー等により取り付ける。合板１４はその上下方向に所定間隔で孔１４ａが形成されており、これらの孔１４ａ内で座金１６を介して固定ビス１５をねじ込む。これにより、補強シート１２が、固定ビス１５で柱３または間柱４に固定される。その際、合板１４の各孔１４ａによって固定ビス１５の位置決めが正しく設定され、墨だしの必要もないため固定ビス１５で補強シート１２を取り付ける作業を短時間で正確に行え、工数を低減できる。しかも座金１６と固定ビス１５の頭部は合板１４の孔１４ａから突出することがなく、合板１４の表面と面一以下に保持される。
なお、合板１４は水平方向に所定間隔で柱３または間柱４に座金１６と固定ビス１５で固定することが好ましい。
【００３８】
また、補強シート１２の幅方向端部１２ｚでは、隣接する補強シート１２，１２の端部１２ｚ，１２ｚ同士を重ね合わせる。そして、補強シート１２，１２の重なっている部分の室内側に、上記と同様に、合板１４を固定ビス１５で取り付ける。
【００３９】
また、隅部Ｘでは、補強シート１２の端部１２ｚ側を隅部Ｘに沿って折り曲げる。その室内側に、ＬＶＬ２０を取り付ける。この際、ＬＶＬ２０の角部２０ｒが補強シート１２の折り曲げられている部分１２ｒに揃うように、ＬＶＬ２０を配置する。そして、ＬＶＬ２０の面取り部２０ａから、固定ネジ２１を、ＬＶＬ２０、補強シート１２の折り曲げられている部分１２ｒ、既存内装材１１の端部を貫通させて、柱３にねじ込む。
【００４０】
次に、合板１４の室内側に石膏ボード等の新規内装材１８を取り付けて、合板１４の上から例えば皿ネジ、アンカー１７Ｂをねじ込んで、新規内装材１８を、合板１４，１７Ｂ、補強シート１２及び既存内装材１１を介して柱３または間柱４に固定する。この際に、新規内装材１８の端面がＬＶＬ２０の端面と当接するように、新規内装材１８とＬＶＬ２０との間に隙間を設けないことが好ましい。
【００４１】
このように構成された建築物の耐震改修壁１では、隅部Ｘにおいて、既存内装材１１の面１１ａに沿って設けられた補強シート１２は、その室内側に配置されたＬＶＬ２０から延びる固定ネジ２１により固定される。この固定ネジ２１は、既存内装材１１に対して斜め４５度に延び、ＬＶＬ２０及び補強シート１２を貫通して柱３に固定される。よって、例えば、既存内装材１１に直交する方向の室外側に柱３が配置されていないような隅部Ｘでも、既存内装材１１に対して斜め４５度に延びる固定ネジ２１により、補強シート１２を柱３に固定することができる。
【００４２】
また、補強シート１２は、既存内装材１１の内面１１ａに沿って配置される。補強シート１２の端部１２ｚ側は、順に内面１１ａとＬＶＬ２０の面２０ｐとの間に配置され、角部２０ｒで折り曲げられて、ＬＶＬ２０の面２０ｑにまで延びている。これにより、ＬＶＬ２０の角部２０ｒを通過する固定ネジ２１は、角部２０ｒに沿う補強シート１２の折り曲げられた部分１２ｒを貫通して、柱３に固定される。よって、角部２０ｒで折り曲げられた補強シート１２が隅部Ｘからずれることがないため、固定ネジ２１は補強シート１２を確実に貫通して柱３に固定される。
【００４３】
また、固定ネジ２１は、既存内装材１１に対して４５度傾斜する方向を向く面取り部２０ａに固定される。よって、既存内装材１１に対して斜め４５度に延びる固定ネジ２１を、柱３に固定しやすい。
【００４４】
また、新規内装材１８を固定する皿ネジやアンカー１７Ｂは、合板１４上で上下の固定ビス１５，１５の間の位置にねじ込むことになる。しかも、新規内装材１８は平板状の合板１４に面接触して取り付けられるため、固定ビス１５の頭部に当接して撓んだり凹凸による不陸が生じたりすることはない。
また、新規内装材１８を固定する皿ネジやアンカー１７Ｂの頭部は石膏ボードからなる新規内装材１８内に埋め込まれて内装材１８の表面と略面一以下になるため、突出しない。そのため、新規内装材１８の表面に壁紙等を接着剤等で貼着しても皿ネジやアンカー１７Ｂによる不陸が生じることはない。
【００４５】
そして、地震等が発生した場合、耐震改修壁１が振動で揺れたとしても、補強シート１２はその一方の面を座金１６や合板１４で押さえられ他方の面を既存内装材１１に押し付けられている。そのため、補強シート１２の固定ビス１５によって形成された穴が振動によって相対的に移動して穴の切れ目が成長することを防止でき、補強シート１２による耐震性能を低下させることを防止できる。
【００４６】
また、２枚の補強シート１２，１２が、一列に配置された固定ビス１５により固定されているため、例えば一方の補強シート１２と他方の補強シート１２とを別々の固定ビス１５，１５で固定する場合よりも、固定部分の幅（固定ビス１５が設けられる箇所の幅）を抑えることができる。これにより、例えば柱３または間柱４が経年変化により鉛直方向に対して曲がったり、傾斜してしまった場合でも、両側の補強シート１２，１２を柱３または間柱４に確実に固定することができるとともに、施工の手間を削減することができる。
【００４７】
また、樹脂を含まない一般的なアラミド繊維シートは専用のはさみで切断しなければならないが、補強シート１２は樹脂を含む板状をなすため、カッター（不図示）、はさみ（不図示）等の一般的な刃物で切断が可能であり、施工性がよい。
【００４８】
（第二実施形態）
上記に示す第二実施形態について、主に図５を用いて説明する。
図５は、本発明の第二実施形態に係る建築物の耐震改修壁構造の水平断面図である。
以下の他の実施形態において、前述した実施形態で用いた部材と同一の部材には同一の符号を付して、その説明を省略する。
【００４９】
本実施形態において、建築物の耐震改修壁１Ｘでは、直交する既存内装材１１Ａ（第一壁材）及び既存内装材１１Ｂ（第二壁材）には、それぞれ補強シート１２Ａ（第一補強シート）及び補強シート１２Ｂ（第二補強シート）が設けられている。既存内装材１１Ａの室内側に配置される補強シート１２Ａは、端部１２ｚ側に向かうにしたがって順に、内面１１ａ（一の面）とＬＶＬ２０の面２０ｐ（第一面）とで挟まれて、角部２０ｒ及び隅部Ｘに沿って折り曲げられ、内面１１ｂ（他の面）とＬＶＬ２０の面２０ｑ（第二面）とで挟まれている。また、既存内装材１１Ｂの室内側に配置される補強シート１２Ｂは、端部１２ｚ側に向かうにしたがって順に、内面１１ｂとＬＶＬ２０の面２０ｑとで挟まれて、角部２０ｒ及び隅部Ｘに沿って折り曲げられ、内面１１ａとＬＶＬ２０の面２０ｐとで挟まれている。
【００５０】
補強シート１２Ａは、ＬＶＬ２０の面２０ｑの端部にまで延びていることが好ましい。また、補強シート１２Ｂは、ＬＶＬ２０の面２０ｐの端部にまで延びていることが好ましい。
【００５１】
そして、ＬＶＬ２０の面取り部２０ａから挿入された固定ネジ２１が、ＬＶＬ２０の角部２０ｒ、補強シート１２Ａの折り曲げられている部分及び補強シート１２Ｂの折り曲げられている部分、及び一方の既存内装材１１の端部を通過し、柱３の角部３ｒから柱３にねじ込まれている。これにより、補強シート１２Ａ，１２Ｂは、柱３に固定されている。よって、一の固定ネジ２１で補強シート１２Ａ，１２Ｂの両方を一度に固定することができるため、施工性がよい。
【００５２】
（第三実施形態）
上記に示す第三実施形態について、主に図６を用いて説明する。
図６は、本発明の第三実施形態に係る建築物の耐震改修壁構造の水平断面図である。
【００５３】
本実施形態において、補強シート１２は、既存内装材１１の内面１１ａに沿って配置され、端部１２ｚ側に向かうにしたがって順に、内面１１ａとＬＶＬ２０Ｙの面２０ｐとで挟まれて、角部２０ｒまで延びている。
なお、第一実施形態と同様に、補強シート１２がＬＶＬ２０Ｙの角部２０ｒで折り曲げられていてもよい。
【００５４】
ＬＶＬ２０Ｙにおける面２０ｐと直交する面２０ｓから挿入された固定ネジ２１が、ＬＶＬ２０Ｙの面２０ｐ、補強シート１２Ａ、既存内装材１１の端部及び柱３の側面３ｐを通過し、柱３にねじ込まれている。これにより、補強シート１２は、柱３に固定されている。なお、ＬＶＬ２０Ｙには、固定ネジ２１が挿通される下孔が設けられていることが好ましい。
なお、ＬＶＬ２０Ｙの面２０ｓからねじ込まれた固定ネジ２１の頭部は、ＬＶＬ２０Ｙの面２０ｓから突出しないように、ＬＶＬ２０Ｙ内に埋め込まれることが好ましい。
このように、ＬＶＬ２０Ｙの側面２０ｓから固定ネジ２１をねじ込むことでも、補強シート１２を固定することができる。
【００５５】
（第四実施形態）
上記に示す第四実施形態について、主に図７を用いて説明する。
図７は、本発明の第四実施形態に係る建築物の耐震改修壁構造の水平断面図である。
【００５６】
本実施形態では、平面視において、間柱４の室内側の面４ａは、柱３の室内側の面３ａよりも室外側に位置している。これにより、間柱４に取り付けられる既存内装材１１は、柱３の室内側の面３ａよりも室外側に位置している。
そして、柱３の側面３ｂと既存内装材１１，１１とにより、室内側において直角をなす隅部Ｘ１が形成されている。
【００５７】
補強シート１２は、隣接する柱３，３間に配置された既存内装材１１の内面１１ａに沿って設けられている。補強シート１２の端部１２ｚ側は、隅部Ｘ１に沿って折り曲げられている。これにより、補強シート１２は、既存内装材１１の内面１１ａに沿って配置され、端部１２ｚ側に向かうにしたがって順に、内面１１ａとＬＶＬ２０の面２０ｐとで挟まれて、角部２０ｒ及び隅部Ｘ１に沿って折り曲げられ、柱３の側面３ｂとＬＶＬ２０の面２０ｑとで挟まれている。補強シート１２の端部１２Ｚは、柱３の側面３ｂの端部近傍まで延びていることが好ましい。
このように、既存内装材１１は、柱３の室内側の面３ａよりも室外側に位置しているいわゆる真壁仕様の建築物においても、柱３，３間に配置された既存内装材１１の内面１１ａに沿って、既存内装材１１の幅方向端部まで補強シート１２を設けることができる。
【００５８】
なお、上述した実施の形態において示した各構成部材の諸形状や組み合わせ等は一例であって、本発明の主旨から逸脱しない範囲において設計要求等に基づき種々変更可能である。
【００５９】
また、上記に示す建築物の耐震改修壁構造は、図８に示すような居室に適用できる。改修前の居室の既存内装材１１（図１参照。以下同じ。）には開口Ｄが設けられている。また、既存内装材１１の上部には廻縁Ｅが設けられ、下部には幅木Ｆが設けられている。また、既存内装材１１において、廻縁Ｅの下方にはエアコンＧが設けられ、幅木Ｆの上方にはコンセントＨが設けられている。このような居室において、耐震性能を改善する改修工事を行う際には、廻縁Ｅ、幅木Ｆ、エアコンＧ、コンセントＨを一度取り外す。そして、上記に示すように、補強シート１２、ＬＶＬ２０及び新規内装材１８を取り付けて、廻縁Ｅ、幅木Ｆ、エアコンＧ、コンセントＨを元の位置に取り付ける。この際には、エアコンＧ、コンセントＨの取付けネジ（不図示）の長さは、補強シート１２及び新規内装材１８の厚み分長いものにすることが好ましい。
【００６０】
また、既存内装材１１にコンセントＨ等が設けられている場合には、補強シート１２にコンセントＨに対応する大きさの貫通孔（不図示。以下同じ。）を設ける必要がある。本実施形態の補強シート１２は、樹脂を含む材料であるため、貫通孔の縁がほつれてこないというメリットがある。
【００６１】
また、上記に示す実施形態において、補強シート１２は、固定ビス１５や固定ネジ２１等により固定されているが、この他にも釘や、接着剤等により固定されていてもよい。
【００６２】
また、新規内装材１８を設けなくてもよい。この場合には、固定ビス１５、座金１６、固定ネジ２１及び補強シート１２に意匠を施して、これらを露出させる構成であってもよい。
【符号の説明】
【００６３】
３…柱（縦材）
４…間柱（縦材）
１１…既存内装材（壁材）
１１ａ…内面（一の面）
１１ｂ…内面（他の面）
１２…補強シート
１２ｚ…端部
１８…新規内装材
２０…ＬＶＬ（固定用部材）
２０ａ…面取り部（固定面）
２０ｐ…面（第一面）
２０ｑ…面（第二面）
２０ｒ…角部
２１…固定ネジ（固定具）
３０…外壁
Ｘ…隅部
【図１】
0006339955.tif 000002
【図２】
0006339955.tif 000003
【図３】
0006339955.tif 000004
【図４】
0006339955.tif 000005
【図５】
0006339955.tif 000006
【図６】
0006339955.tif 000007
【図７】
0006339955.tif 000008
【図８】
0006339955.tif 000009